Podtech/llm-jp-corpus-v4-ja_patent huggingface dataset:
(57)【要約】【課題】  任意の動力のトルクを増強する。【解決手段】  入力軸と出力軸を切り離し、入力軸のトルクを入力軸と出力軸等を反力に、入力アーム、増強板、増強反力アーム等のリンク構成で増強する。【選択図】図１
2015111000.tif 000002
【特許請求の範囲】
【発明の詳細な説明】
【技術分野】
【０００１】  本発明はトルクの増強に関する。
【背景技術】
【０００２】  従来、トルク増強はネジ締め工具等がある。
【発明の概要】
【発明が解決しようとする課題】
【０００３】  エネルギーを用いずに入力トルクを増強する。
【課題を解決するための手段】
【０００４】  入力軸と出力軸を切り離し、入力軸のトルクを入力軸と出力軸等を反力に、入力アーム、増強板、増強反力アーム等のリンク構成で増強することを特徴とする。
【発明の効果】
【０００５】  動力の小形化及び省エネに利点がある。
【図面の簡単な説明】
【０００６】
【図１】  入力軸側の内部図である。
【図２】  出力軸側の内部図である。
【図３】  入力軸、及び出力軸の構成図である。
【図４】  伝達アームの斜視図である。
【図５】  反力アームの斜視図である。
【図６】  反力板の斜視図である。
【図７】  増強板の斜視図である。
【図８】  増強反力アームの斜視図である。
【図９】  トルク増強の構成図である。
【発明を実施するための形態】
【０００７】  以下、本発明の実施の形態を図に基づいて説明する。
図９は任意の大きさの外筒２１で示すトルク増強機と、任意の動力２４の斜視図である。また外筒２１等が省略された図１は、トルク増強機の入力軸１側の内部の正面図である。また外筒２１等が省略された図２は、出力軸１０側の内部の正面図である。
動力２４のトルクを伝える動力軸２３と、入力軸１がカップリング２５で連結され、この動力２４及びトルク増強機の何れもベース等は省略している。
【０００８】  また図１の入力軸１と図２の出力軸１０は、図３に詳細を示す入力軸１と出力軸１０は、僅かな透き間で離れ、また入力軸１は、長い入力軸受２０に回転自在に保持され、出力軸１０は長い出力軸受２２が回転自在に保持している。
【０００９】  この動力２４の回転は、図１の入力軸１で図示されていない右回転し、この回転力は、入力軸１に固着する入力アーム２に伝わり、次に図４に詳細を示す伝達アーム３を押し、図７に詳細を示す増強板８のリンク軸１７に伝わる。
【００１０】  このリンク軸１７の図示されていない左方向と下向きの力は、リンク軸１８の反力のためリンク軸１９を上向きに作用する。またリンク軸１９から図８に詳細を示す、約４５度の傾斜の増強反力アーム９に伝わる。この増強反力アーム９の入力軸穴１４を入力軸１で回転自在に保持している。
【００１１】  このリンク軸１９の図示されていない上向きの力は、増強反力アーム９の作用で入力軸１を左方向に引っ張り、この反力で右回転方向の回転力が生じる。これとリンク軸１７の左方向の分力と合わせ、増強板８の回転力になり、この作用で本発明のトルクの増強が実現した。
以下、増強板８の右回転方向の回転力を出力軸１０に伝えるための手段である。
【００１２】  この増強板８の図示されていない回転力は、増強板８のリンク軸１８にリンクされた伝達アーム３を介して図６に詳細を示す伝達アーム３の角度制限７を設けた反力板５のリンク軸１６に作用する。
このリンク軸１６の図示されていない下向きの力は、反力板５の中央の軸穴１３とリンクされた出力アーム６に固着するリンク長軸１１のため、力の方向が反転する。
この反転した力は、リンク長軸１５から図５に詳細を示す反力アーム４の入力軸穴１４に伝わり、入力軸穴１４を入力軸１が回転自在に保持している。この力は入力軸１で打ち消している。
【００１３】  また反力板５の図示されていない右回転の力は、反力板５の軸穴１３と出力アーム６のリンク長軸１１を介して出力軸１０に固着した出力アーム６から出力軸１０に伝わる。
また出力軸１０及び出力アーム６は、図示されていない任意の負荷の入力の形状に合わせ、手段は任意である。
【００１４】  この増強構成を図示されていないバランスウエイトに対応で任意に増設して、出力アーム６の回転力を増設の入力アーム２に図示されていないアーム等で伝え、直列にリンクすることで数倍に増強は任意である。
【産業上の利用可能性】
【００１５】  入力軸１のトルクを入力アーム２と増強反力アーム９及び増強板８等で約２倍に増強することで動力２４の小型化及び省エネ等に利用できる。
【符号の説明】
【００１６】    １  入力軸
２  入力アーム
３  伝達アーム
４  反力アーム
５  反力板
６  出力アーム
７  角度制限
８  増強板
９  増強反力アーム
１０  出力軸
１１、１５  リンク長軸
１２、１６、１７、１８、１９  リンク軸
１３  軸穴
１４  入力軸穴
２０  入力軸受
２１  外筒
２２  出力軸受
２３  動力軸
２４  動力
２５  カップリング
【図１】
2015111000.tif 000003
【図２】
2015111000.tif 000004
【図３】
2015111000.tif 000005
【図４】
2015111000.tif 000006
【図５】
2015111000.tif 000007
【図６】
2015111000.tif 000008
【図７】
2015111000.tif 000009
【図８】
2015111000.tif 000010
【図９】
2015111000.tif 000011
【手続補正書】
【提出日】平成26年10月20日(2014.10.20)
【手続補正１】
【補正対象書類名】特許請求の範囲
【補正対象項目名】全文
【補正方法】追加
【補正の内容】
【特許請求の範囲】
【請求項１】
入力軸と、
入力アームと、
入力アームにリンクする伝達アームと、
増強板と、
増強反力アームを有することを特徴とするトルク増強機。
(57)【要約】【課題】  本発明は、暖冷房装置の室内機と薄型テレビを一体にして新規に提供することを課題にしている。【解決手段】  本発明は、暖冷房装置の室内機の前面壁の全部または一部を薄型テレビまたは液晶ディスプレイにて形成して課題を解決する。【選択図】図１
2015084467.tif 000002
【特許請求の範囲】
【請求項１】
暖冷房装置の室外機につながる室内機の前面壁の全部または一部を薄型テレビまたは液晶ディスプレイにて形成したことを特徴とするテレビまたは液晶ディスプレイ付きの空調機。
【請求項２】
薄型テレビ，液晶ディスプレイは室内機の前面より大型である請求項１に記載のテレビまたは液晶ディスプレイ付きの空調機。
【請求項３】
薄型テレビ，液晶ディスプレイは室内機の前面より取外し自在である請求項１また２に記載のテレビまたは液晶ディスプレイ付きの空調機。
【発明の詳細な説明】
【技術分野】
【０００１】
本発明は薄型テレビまたは液晶ディスプレイ付きの空調機に関するものである。
【背景技術】
【０００２】
暖冷房装置の室外機につながる主に家庭内の室内機は従来壁掛け型，据え置き型のいずれも乳白色などの単調な色彩にとどまるため家庭、特に和室になじまず調和しないでいたところ、実開平６-７３６１９号公報にて室内機に時計機能を持たせるという提案を発見した。
【先行技術文献】
【特許文献】
【０００３】
【特許文献１】実開平６−７３６１９号公報
【発明の概要】
【発明が解決しようとする課題】
【０００４】
しかしながら、該公報は室内機のわずか一部分を利用して時計機能を持たせるにとどまっていて、依然として室内機は乳白色などの単調な色彩の前面壁が室内を大きく占有していて、とりわけ和室になじまず調和しないという課題がある。
【課題を解決するための手段】
【０００５】
本発明は、暖冷房装置の室外機につながる壁掛け型または据え置き型のいずれの室内機もその前面壁の全部または一部を薄型テレビまたは液晶ディスプレイにて形成して、かかる課題を解決するようにしたのである。
【発明の効果】
【０００６】
本発明は暖冷房装置の室内機の前面を薄型テレビまたは液晶ディスプレイとしたので、室内機の前面は観賞形となって美化されて、特に和室になじまない違和感が解消するという効果を生ずる。
【０００７】
室内機の前面大きさよりテレビを大型にすることで室内のいずれに設置してもテレビ視聴を容易にするという効果を生ずる。
テレビと室内機が一体となることで室内環境を簡素にして良好にするという効果を生ずる。
【０００８】
テレビまたは液晶ディスプレイは室内機の前面より取り外すことで互いに点検，清掃等ができるという効果を生ずる。
【図面の簡単な説明】
【０００９】
【図１】暖冷房装置の室内機の前面の上半壁を薄型テレビの取付けにて形成した斜視図
【図２】（ａ）はテレビを室内機の前面大きさより横広に拡げたした平面図、（ｂ）は同、横狭にした平面図
【図３】送風口を室内機の側面に設けた斜視図
【図４】前面壁を液晶ディスプレイの取付けにて形成した斜視図
【発明を実施するための形態】
【００１０】
本発明は、暖冷房装置の室外機につながる横長ボックス形をした室内機の前面壁を薄型テレビまたは液晶ディスプレイの取付けにて形成して、室内機とテレビを一体とし、両者を単一のリモコンの画面表示の切替操作により作動するようにする。
【実施例１】
【００１１】
図１乃至図３は本発明の第１実施例で、主に家庭用として設置する暖冷房装置の室外機につながる横長ボックス形をした室内機１の前面壁の上半を薄型テレビ２の取外し自在な取付けにて形成した例を示している。２ａはテレビ２の前面スクリーンである。前面スクリーン２ａ下の余白は室内機１の送風口１ａである。
【００１２】
室内機１は前面壁としてテレビ２を前面に取付けるため、室内機１の前面形は従来より幾分縦長にしてテレビ２の前面スクリーン２ａの規格と同形にする。壁掛け型の場合は従来より低い位置に室内機１を壁掛けしてテレビ２を見やすくし、また据え置き型は室外機につながるチューブを圧力チューブなどにして細く目立たないようにする。
【００１３】
単一のリモコン３はスマートフォン形式にして室内機１とテレビ２の画面表示を切替操作して作動するようにする。
【００１４】
近年、家庭内に設備する室内機１の送風音は４０ｄｂ以下となって、ささやき声程度の音量であるため、テレビを合体しても視聴の支障になることはなく、振動も著しく軽減されていることからテレビに悪影響を与えるおそれもないものとなっている。
【００１５】
室内機１の送風口１ａからの暖気，冷気の送風によってテレビ２の前面スクリーン２ａが曇るおそれがあるときはスクリーン２ａに曇り防止膜などをコーティングして防止するようにする。
【００１６】
なお室内機１の送風口１ａから出る送風音をさけるためにテレビ２のスピーカー４をテレビ２より外し出す外出し型にすることもある。
【００１７】
図２の（ａ）（ｂ）は室内機１の前面大きさよりテレビ２の大きさを大小させた例を示している。
【００１８】
図３は室内機１の前面に同じ大きさのテレビ２を取付けた際の例で、室内機１は下面または両側側面または片側一面に送風口１ａを設けることになる。
【００１９】
なお図示してないが側面の送風口１ａはラッパ型にしてテレビ２の前面スクリーン２ａの横に曲げ揃えすることもある。
【００２０】
室内機１とテレビ２の取付け手段は蝶番型，フック型などにて取外し自在とする。上下左右に角度調整自在の取付け手段を用いることもある。
【００２１】
なお、テレビ２はＤＶＤ，ブルーレイなどの機能を持たせることもある。
このようにして家庭内においては一体の室内機１とテレビ２の作動にて室内温度，湿度などを調整しながらテレビ，ＤＶＤ，ブルーレイなどを視聴することができて快適となる。
テレビ２に玄関前の防犯・来客知らせカメラなどを接続するときはテレビ視聴のまま来客の訪問等を知ることができる。
【実施例２】
【００２２】
図４は室内機１の前面壁を液晶ディスプレイ５の取付けにて形成した例を示している。その他の構成と作用は実施例１と同じである
【産業上の利用可能性】
【００２３】
本発明は暖冷房装置の室内機とテレビを一体にすることで室内機の前面壁を観賞形にして室内を美化し、特に和室より違和感をなくして、室内機，テレビの両者の生産，流通を強く広く推進することができるという産業上の利益がある。
【符号の説明】
【００２４】
１は室内機
１ａは送風口
２は薄型テレビ
２ａは前面スクリーン
３はリモコン
４はスピーカー
５は液晶ディスプレイ
【図１】
2015084467.tif 000003
【図２】
2015084467.tif 000004
【図３】
2015084467.tif 000005
【図４】
2015084467.tif 000006
(57)【要約】【課題】飲食店の店舗利用を予約する際、利用者が指定日時で店舗の座席予約利用状況の確認や、希望する時間と希望する座席位置予約・変更・取消を行えるようにする。【解決手段】ネットワークを介して利用者が飲食店の指定日時の座席予約利用状況の確認や、希望する時間と希望する座席位置予約が店舗の実際の座席レイアウト図で行える管理システムである。【選択図】図１
2015084196.tif 000002
【特許請求の範囲】
【請求項１】
ネットワークを介して利用者が指定した日時で飲食店店舗の座席予約利用状況の確認や、指定した日時と座席位置予約・変更・取消が座席レイアウト図にてでき、同時にメニューも予約・変更・取消できる管理システムである。
【請求項２】
前記座席レイアウト図は、店舗の実際のレイアウトとすることを特徴とする管理システムである。
【発明の詳細な説明】
【技術分野】
【０００１】この発明は、情報システムを用いた飲食店座席位置指定予約管理システムに関する。
【背景技術】
【０００２】飲食店の予約処理をシステム化した発明は、いくつか存在するが、それらの予約システム管理は飲食店の店舗利用を予約するものであった。
【先行技術文献】
【特許文献】
【０００３】
【特許文献１】特開２００１−３５０９９７公報
【発明の概要】
【発明が解決しようとする課題】
【０００４】上記の飲食店予約システムによれば、飲食店の店舗利用を予約するものであり、利用者が飲食店にて希望する座席位置の予約や、利用状況の確認に改善の余地があった。
そこで、この発明は、利用者が何れの場所にいても、ネットワークを介して飲食店の利用状況が店舗の実際の座席レイアウト図で確認でき、空席となっている時間内で、自由に時間と座席位置を指定し、同時にメニューも事前に予約できることを課題とする。
【課題を解決するための手段】
【０００５】以上の課題を解決するために、「顧客」「予約」「メニュー・レイアウト」等それぞれのデータベースを使い、利用者が何れの場所にいても、ネットワークを介し利用者が指定する日時で、店舗の座席予約利用状況が店舗の実際の座席レイアウト図にて確認でき、空席となっている時間内で希望する時間を自由に選び、店舗の実際の座席レイアウト図から自由に座席を位置指定し、同時にメニューも事前予約することを特徴とする管理システムである。
【発明の効果】
【０００６】・自分の気に入っている席且つ、希望する時間での食事が楽しめるようになる
・今までは、食事したい店が満席であれば、別の店を探すか待たないといけないが、それが不要になる
・直ぐ席に着けたとしても食事の提供が遅くなりイライラ待つ事もなくなる
【図面の簡単な説明】
【０００７】
【図１】この発明の一実施形態にかかる飲食店座席位置指定予約管理システムの構成図である。
【図２】システム端末に表示される、メニュー画面図である。
【発明を実施するための形態】
【０００８】この発明の一実施形態の飲食店座席位置指定予約管理システムの構成図を、図１に示す。
ネットワークを介して利用者が飲食店で希望する座席を図２に示すメニュー画面の座席レイアウト図から、日時・座席を指定し予約・変更・取消することが出来る。
【０００９】「実施形態の効果」
この実施形態によれば、利用者がネットワークを介して指定する日時で店舗の座席予約利用状況が店舗の実際の座席レイアウト図にてリアルタイムで確認できる。
空席となっている時間内で、利用者が希望する時間を自由に選ぶ事ができ、希望する座席位置を店舗の実際の座席レイアウト図から座席を自由に指定し、同時にメニューも事前に予約できるため、利用者が希望する時間と座席にて店舗利用する事ができる。
そのため、利用者は満席時の待ち時間をなくすことができ、利用時に食事の提供も速やかに受ける事ができる。
【符号の説明】
【００１０】１０１  利用者システム端末
１１１  飲食店システム端末
２０１  データベース
３０１  メニュー画面
【図１】
2015084196.tif 000003
【図２】
2015084196.tif 000004
(57)【要約】      （修正有）【課題】銀杏を調理することによって、食味を良くする技術を提供する。【解決手段】銀杏の食する場合の調理方法である。茹でる際３〜５分間沸騰させて茹でる。そのあとに薄皮を剥いて、予め用意した醤油に漬ける。醤油は減塩醤油１リッターあたり、唐辛子１〜５グラム、昆布５〜３０グラムを入れたものを用いる。常温で、２〜５日間くらい漬けておき、食前に取り出し、熱したフライパンに少量の胡麻油をたらし焦げ目をつける。これによって、香ばしくなる。【選択図】なし【特許請求の範囲】
【請求項１】
銀杏の食する場合の調理方法であって、茹でる際３〜５分間沸騰させた後、薄皮を剥いて、予め用意した醤油に漬けることを特徴とする銀杏の調理方法。
【請求項２】
醤油は減塩醤油１リッターあたり、昆布を５〜３０グラム入れることを特徴とする請求項１に記載の銀杏の調理方法。
【請求項３】
醤油は減塩醤油１リッターあたり、唐辛子１〜５グラム入れることを特徴とする請求項１または請求項２に記載の銀杏の調理方法。
【発明の詳細な説明】
【技術分野】
【０００１】
本発明は、銀杏を調理することによって、食味を良くする技術に関する。
【背景技術】
【０００２】
本発明は、銀杏を調理する場合、従来、茹でた後に塩を振りかけるのが一般的であった。銀杏の調理方法に関する出願には、特開２００４−１６６５７３号公報に開示された技術がある。
【先行技術文献】
【特許文献】
【０００３】
【特許文献１】特開２００４−１６６５７３号公報
【発明の概要】
【発明が解決しようとする課題】
【０００４】
銀杏を採取して外皮をむくには、土に埋けて自然に皮を軟化させる方法もあるが、ビニール袋などに銀杏を入れ、外から潰して実を取り出し、きれいに水洗いする。そのあと約１週間くらい天日に干して、完全に乾燥させる。天日干しが足りないと保存中にカビが生えて調理不向きとなる。また、調理する期間は乾燥後３カ月以内が望ましく、それ以上長くなるとしわになり味が落ちる等の問題がある。
【課題を解決するための手段】
【０００５】
上記した課題を解決するために、以下の方法を開発した。
第一の発明は、
銀杏の食する場合の調理方法であって、茹でる際３〜５分間沸騰させた後、薄皮を剥いて、予め用意した醤油に漬けることを特徴とする銀杏の調理方法である。
また、第２の発明は、第１の発明において、醤油は減塩醤油１リッターあたり、昆布を５〜３０グラム入れることを特徴とする銀杏の調理方法である。
また、第３の発明は、第１、または第２の発明において、醤油は減塩醤油１リッターあたり、唐辛子１〜５グラム入れることを特徴とする銀杏の調理方法である。
【発明の効果】
【０００６】
銀杏は収穫して長くなると中の実がしぼんでくるので、従来の方法では適しない。醤油漬けにすることによって、しぼみが修正されてきれいな銀杏漬けとなる。なお、剥いた外皮を容器に入れ、唐辛子と焼酎を入れて３カ月ほど経つと、野菜栽培の防虫剤となり無農薬栽培ができる。
【発明を実施するための形態】
【実施例】
【０００７】
銀杏を採取して外皮をむくには、土に埋けて自然に皮を軟化させる方法もあるが、ビニール袋などに銀杏を入れ、外から潰して実を取り出し、きれいに水洗いする。そのあと約１週間くらい天日に干して、完全に乾燥させる。天日干しが足りないと保存中にカビが生えて調理不向きとなる。調理する期間は乾燥後３カ月以内が望ましい。それ以上長くなるとしわになり味が落ちる。
【０００８】
醤油漬け明細を以下に示す。減塩醤油１リットルあたり、昆布を５〜３０グラム、トウガラシを１〜５グラム添加したものを用いた。この量は好みに応じて変化させる。その中に皮をむいた銀杏を浸漬して、常温で、２〜５日間くらい漬けておく。この期間も、好みに応じて選択する。
【０００９】
次いで、銀杏を食前に取り出し、熱したフライパンに少量の胡麻油をたらし焦げ目をつける。これによって、香ばしくなる。
【産業上の利用可能性】
【００１０】
本発明は銀杏の付加価値を高めることのよる消費の拡大に寄与する。そのため、食品製造業のさらなる発展に寄与することが期待される。
(57)【要約】      （修正有）【課題】安定した電圧供給、ノイズ、寄生振動軽減出来るかと言うこと。精密機器に電圧の変動や有害な成分を持ち込まない。【解決手段】電圧変動を防ぐには、電子回路に使用されるケミコンと抵抗器だけでは成り立たないと知り、電子回路基板３を採用しました。Ｌ型テーブルタップに回路基板を装着させ、電圧変動による精密機器の誤作動を軽減出来て、電気エネルギーの有害な成分をへらす事が可能となります。【選択図】図１
2015084628.tif 000002
【特許請求の範囲】
【請求項１】
日本国中。Ｌ型テーブルタップに回路基板を装着させ、電圧変動による精密機器の誤作動を軽減出来て、電気エネルギーの有害な成分をへらす事が可能となります。
【発明の詳細な説明】
【技術分野】
【０００１】電圧の変動がＯＡ機器、パソコンに悪い影響を与えますその様な事が無いように軽減します。
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】電圧変動を主電源プラグからカットしノイズや寄生振動を軽減します。
【課題を解決するための手段】
【０００６】電圧変動や有害な成分を電子回路によってカットします。精密機器などに定定した電圧電流の安定供給が出来ます。
【発明の効果】
【０００７】この装置が作用すると超精密機の誤動作はとうてい有り得ません。
【図面の簡単な説明】
【０００８】
【図１】平面図
【図２】電子回路図
【発明を実施するための形態】
【０００９】電源プラグにも電子回路を装置させると主電源から進化させ、合理性が得られます。
【実施例】
【０００１０】家電製品、工業分野、医療関係機器など幅広く使用されます。
【産業上の利用可能性】
【０００１１】工場ライン工程、各家庭電化製品、オフイス、一般家庭などに幅広く多種多様に使用されて、無くては成らないヒツト商品になります。
【符号の説明】
【０００１２】［図１］（１）主電源プラグ  （２）副電源プラグ  （３）電子回路基板［図２］電子回路図
【受託番号】
【図１】
2015084628.tif 000003
【図２】
2015084628.tif 000004
(57)【要約】【課題】  ビニールフィルムの損傷を最小限下にし、省力的にパッカーの取外し、取付けの２役をこなすことを特徴とするヘルプパッカーを提供する。【解決手段】  本発明品は半円形湾曲板と先端部を除去したくぎ抜きを、1本のボルトで回動可能な結合をし、てこの原理を利用して省力的にパッカーの取外し、取付けの２役をこなすことを特徴とするヘルプパッカー。【選択図】  図１
2015084652.tif 000002
【特許請求の範囲】
【請求項１】
半円形湾曲板と先端部を除去したくぎ抜きを、1本のボルトで回動可能な結合をし、てこの原理を利用して省力的にパッカーの取外し、取付けの２役をこなすことを特徴とするヘルプパッカー。
【発明の詳細な説明】
【技術分野】
【０００１】
この発明はパイプハウスにビニールフィルムをパッカー取付けたパッカーの取外し作業が、簡単に省力的に行えるヘルプパッカーに関するものである。
【０００２】
この発明は、取外し作業のみならず取付け作業の両作業に使用できる。
【０００３】
この発明はビニールフィルムの破損を最小限に抑えることができる。
【背景技術】
【０００４】
２２ｍｍパイプに締着したパッカーを取外す作業では、約８〜１０Ｋｇ重の力が必要である。
また、取付け作業時にも、同等の力が必要であるにも関わらず、取付けの器具はなかった。
従来のパッカーを取外す器具は、パッカーとビニールフィルムの隙間に器具を差し込みこじ開ける方法で行われていたたが、パッカーとビニールフィルムの隙間がないため、ビニールフィルムの損傷、破損なしではできなかった。
「特許文献１」は、パッカーを取り外す器具であり、使用方法も、柄を持ち上げる方法で、支持部がパッカー本体の上での使用のため、てこの原理を応用する構造ではなく、けっこう力が必要であった。
取付け作業では、素手で体力を利用し押し込むか、パッカーの破損防止のため、パッカーの上に添え木をし、ハンマーでたたき込む方法で行われていた。
【先行技術文献】
【特許文献】
【０００５】
【特許文献１】特開２０００―１５７０６７号公報
【発明の概要】
【発明が解決しようとする課題】
【０００６】
これは次のような欠点があった。
（イ）従来のパッカー取外し器はパッカーとビニールの隙間に金具の先を無理に差し込み取り外すため、ビニールが破損するので困っていた。
（ロ）従来のパッカー取外し器で、取外した時パッカーが落下することもあり、落下したパッカーを収集作業が余分に必要であった。
（ハ）従来のパッカー取外し器は、取外し機能のみで、取付け機能はなかった。
【課題を解決するための手段】
【０００７】
本発明品は半円形湾曲板と先端部を除去したくぎ抜きを、1本のボルトで回動可能な結合をした、ビニールフィルムの損傷を最小限にし、てこの原理を利用して省力的にパッカーの取外し、取付けの２役をこなすことを特徴とするヘルプパッカーである。
【発明の効果】
【０００８】
本発明は、ビニールフィルムの損傷を最小限下にし、省力的にパッカーの取外し、取付けの２役をこなすことが可能なヘルプパッカーである。
また、取付け作業を片方の手でヘルプパッカーを、もう片方の手でビニールを張ることができるため、1人でパイプハウスへのビニールの取付けがしわも損傷もなくできる。
【発明を実施するための最良の形態】
【０００９】
以下、本発明を実施の形態を説明する。
（イ）先端二股部を除いたくぎ抜き（１）と半円形湾曲板（２）の両者に穴を空けボルト等（３）を差し込み回動できる構造にしたものである。
（ロ）くぎ抜き（１）はてこの原理を利用しやすいように湾曲し90度に曲がっているものが良い。
（ハ）くぎ抜きの二股部は除去し、扁平部の中央にボルト等の軸が通る軸の直径より少し大きめの穴をあける。
（ニ）半円形湾曲板（２）は十字継手の形状が望ましい。
（ホ）半円形湾曲板（２）に空ける穴の位置は、半円形湾曲板（２）の内方折曲片（３）の長さにパッカーの高さと扁平部の金属の厚さの半分を考慮すると、くぎ抜きの扁平部がストッパーとなり、ヘルプッパカーを装着するときにビニールを突き破ることがない。
【図面の簡単な説明】
【００１０】
【図１】本発明におけるヘルプパッカーの取外し使用例を示した斜視図である。
【図２】本発明におけるヘルプパッカーの一例を示した分解図である。
【図３】図１における拡大正面図である。
【図４】図１における取り付け使用例の断面図である。
【符号の説明】
【００１１】
１  くぎ抜き（先端部なし）
２  半円形湾曲板
３  内方折曲片
４  ボルト
５  ナット
６  パッカー
７  鋼管
８  ビニールフィルム
【図１】
2015084652.tif 000003
【図２】
2015084652.tif 000004
【図３】
2015084652.tif 000005
【図４】
2015084652.tif 000006
(57)【要約】【課題】  細菌が繁殖することを抑えた食品載置用板体を提供する。【解決手段】  少なくとも表面が、純度９７．００ｗｔ％〜９９．９９ｗｔ％の錫からなる。【選択図】      図１
2015084869.tif 000002
【特許請求の範囲】
【請求項１】
少なくとも表面が、純度９７．００ｗｔ％〜９９．９９ｗｔ％の錫からなることを特徴とする食品載置用板体。
【発明の詳細な説明】
【技術分野】
【０００１】
本発明は、まな板など、食品を載せて用いる食品載置用板体に関する。
【背景技術】
【０００２】
従来、まな板は、ヒノキなどの木製またはポリエチレンなどの樹脂製のものが一般的である。
【発明の概要】
【発明が解決しようとする課題】
【０００３】
しかしながら、従来のまな板は、包丁により表面が傷つき、その傷口に食中毒などの原因となる細菌が繁殖するおそれがあり、問題であった。
【０００４】
本発明は、上記事情を鑑みたものであり、細菌が繁殖することを抑えた食品載置用板体を提供することを目的とする。
【課題を解決するための手段】
【０００５】
本発明は、少なくとも表面が、純度９７．００ｗｔ％〜９９．９９ｗｔ％の錫からなることを特徴とする。
【発明の効果】
【０００６】
本発明によれば、高純度の錫が持つ滅菌・抗菌作用により、食品を載置する表面における細菌の繁殖を抑えることができる。
【図面の簡単な説明】
【０００７】
【図１】第一実施形態（まな板）の斜視図である。
【図２】まな板を変形させた場合の説明図である。
【図３】第二実施形態（ネタ台）の斜視図である。
【図４】ネタ台の表面形状の説明図であり、（ａ）は斜視図、（ｂ）はＡ−Ａ線断面図である。
【発明を実施するための形態】
【０００８】
本発明の食品載置用板体の具体的な構成について、各図面に基づいて説明する。食品載置用板体の第一実施形態は、まな板として用いられるものであり、図１に示すように、表面板１と、裏面板２とを貼り合わせて形成した矩形板状のものである。表面板１は、純度９７．００ｗｔ％〜９９．９９ｗｔ％の錫からなるもので、厚さが０．５ｍｍである。なお、表面板１の厚さは、薄すぎると強度が弱くなり、厚すぎると重くなるので、０．５ｍｍ〜１．０ｍｍとすることが好ましい。一方、裏面板２は、ポリエチレンなどの合成樹脂であって、食品衛生法で定められた規格に適合するものからなり、厚さが１ｍｍである。表面板１と裏面板２とは、接着剤により接合してある。
【０００９】
このまな板を使用する際には、表面板１を上側に向けて調理台に載置し、表面板１の上に食品を載置して、包丁などにより加工を行う。この際、樹脂製の裏面板２が滑り止めとして機能する。また、裏面板２は、純度の高い錫からなり非常に柔らかい表面板１を補強するためのものでもあり、これにより、従来のまな板と同様に、まな板立てに立てて収納することもできる。
【００１０】
このように構成したまな板（食品載置用板体の第一実施形態）は、高純度の錫が持つ滅菌・抗菌作用により、食品を載置する表面における細菌の繁殖を抑えることができる。よって、特に生野菜などの生ものの調理も衛生的に行うことができる。また、表面板１は金属であるが、高純度の錫からなり柔らかいので、包丁が損傷することはない。そして、裏面板２も樹脂製で弾性変形可能であるから、食材を切った後、図２に示すように、まな板を断面Ｕ字状に曲げて、食材がこぼれ落ちないようにしながら別の容器に移すこともできる。
【００１１】
次に、食品載置用板体の第二実施形態について説明する。第二実施形態は、寿司屋において、寿司ネタを載置するためのネタ台として用いられるものであり、図３に示すように、表面板１と、表面板１を載置する基板３、表面板１を納めるケース４及び筐体５を備える。表面板１は、矩形板状で、純度９７．００ｗｔ％〜９９．９９ｗｔ％の錫からなるものである。基板３は直方体形で、その上にケース４と筐体５を並べて設けてある。ケース４は、上面から手前側面にかけてガラス張りになっていて、奥側面にガラス戸を有している。また、筐体５は、幅が短い以外、ケース４と同様の外形であって、筐体５内に冷却装置を設けてあり、ケース４内を冷却している。そして、ケース４内の基板３上に、表面板１を設置してある。
【００１２】
このネタ台は、寿司屋において、客が着席するカウンターの前に設置されるものであり、図３の手前側が客席側、奥側が厨房側となる。客席側からは、ガラス張りのケース４を通して、中に保存された寿司ネタを見ることができる。そして、厨房側からは、ガラス戸を開けて、ケース４内の表面板１に寿司ネタを置いたり、寿司ネタを取り出して寿司を握ったりすることができる。
【００１３】
このように構成したネタ台（食品載置用板体の第二実施形態）は、高純度の錫が持つ滅菌・抗菌作用により、寿司ネタを載置する表面における細菌の繁殖を抑えることができる。寿司ネタは、ほとんどが生魚などの生ものであるから、保存する時間が長くなっても衛生的な状態を保つことができる。また、錫製の表面板１は熱伝導率が高く、冷却装置よって速やかに冷やされ、その上に載置した寿司ネタも速やかに冷やされるので、冷却の効率が高い。さらに、錫製の表面板１は美しい銀色の金属光沢を有しているので、その上に寿司ネタを並べることで、より見栄えがよくなる。
【００１４】
なお、このネタ台については、図４に示すように、表面板１の表面に複数の平行な溝１１を形成してもよい。このようにすることで、寿司ネタから生じた水分が溝１１を流れるので、寿司ネタが水分によりべたつくことを防ぐことができる。
【００１５】
本発明は、上記の実施形態に限定されない。たとえば、第一実施形態において、表面板および裏面板の形状は、矩形以外のものであってもよいし、厚さも自由に設定できる。また、裏面板の素材は、ポリエチレン以外の樹脂や、木などであってもよい。さらに、裏面板がなく、表面板のみからなるものであってもよい。また、第二実施形態において、冷却装置を有するもののほか、恒温維持装置を有するもの、それらの温度を制御するための装置を有さず、氷で冷却するものや常温で使用するもの、さらにはケースを有さず表面板を露出させて用いるものなどであってもよい。また、まな板やネタ台以外にも、食品を載置する目的のものとして用いることができる。
【符号の説明】
【００１６】
１  表面板
【図１】
2015084869.tif 000003
【図２】
2015084869.tif 000004
【図３】
2015084869.tif 000005
【図４】
2015084869.tif 000006
(57)【要約】【課題】両端が開口しており容器の高さとほぼ同じ高さの筒が容器の底面の中心の上側に垂直に取り付けられている容器の支持具を提供する。【解決手段】筒状の支柱の所定の位置に容器を支持するための部材が固定されており、該支柱はその下端で支持手段によって垂直に支持されており、  該支柱の上端からは、筒状の支柱の所定の位置に容器を支持するための部材が固定されている延長支柱を挿入することができ、該延長支柱の上端にはさらに延長支柱を挿入することができ、両端が開口しており容器の高さとほぼ同じ高さの筒が容器の底面の中心の上側に垂直に取り付けられている容器の筒に支柱又は延長支柱を貫通させて使用する構成とした。【選択図】図１
2015181462.tif 000002
【特許請求の範囲】
【請求項１】
筒状の支柱の所定の位置に容器を支持するための部材が固定されており、
該支柱はその下端で支持手段によって垂直に支持されており、
該支柱の上端からは、筒状の支柱の所定の位置に容器を支持するための部材が固定されている延長支柱を挿入することができ、
該延長支柱の上端にはさらに延長支柱を挿入することができ、
両端が開口しており容器の高さとほぼ同じ高さの筒が容器の底面の中心の上側に垂直に取り付けられている容器の筒に支柱又は延長支柱を貫通させて使用する容器支持具。
【発明の詳細な説明】
【技術分野】
【０００１】
この発明は、両端が開口しており容器の高さとほぼ同じ高さの筒が容器の底面の中心の上側に垂直に取り付けられている容器の支持具に関する。
【背景技術】
【０００２】
両端が開口しており容器の高さとほぼ同じ高さの筒が容器の底面の中心の上側に垂直に取り付けられている容器の吊り具が考案されている。（例えば、特許文献1参照。）
また、側面から中心部に向かい全高にわたって凹みがある形状の容器の支持具が考案されている。（例えば、特許文献２参照。）
【先行技術文献】
【特許文献】
【０００３】
【特許文献１】特開２００２−８０号公報
【特許文献２】特開２０１３−９０６１６号公報
【発明の概要】
【発明が解決しようとする課題】
【０００４】
引用文献1の吊り具は、容器を吊り下げるものであるから、上方に吊り具を固定する場所が必要であり、上方に何もないところには吊り下げることができない。
【０００５】
引用文献２の支持具は、その支持具が支持することができる数の容器を使用しない場合は、支柱が目立って見栄えが良くない。
【０００６】
本発明は、設置場所の制約が少なく、かつ、容器の数に合わせて支柱の延長が可能な容器支持具を実現することを目的としている。
【課題を解決するための手段】
【０００７】
本発明の特殊な形状の容器の支持具は、筒状の支柱の所定の位置に容器を支持するための部材が固定されており、該支柱はその下端で支持手段によって垂直に支持されており、  該支柱の上端からは、筒状の支柱の所定の位置に容器を支持するための部材が固定されている延長支柱を挿入することができ、該延長支柱の上端にはさらに延長支柱を挿入することができ、両端が開口しており容器の高さとほぼ同じ高さの筒が容器の底面の中心の上側に垂直に取り付けられている容器の筒に支柱又は延長支柱を貫通させて使用する構成とした。
【発明の効果】
【０００８】
本発明の特殊な形状の容器の支持具は、その支持手段に対応する平坦な水平面があればどこにでも置くことができる。また、容器の数に応じて支柱を延長でき、支柱又は延長支柱が容器の上方に目立ってはみ出すこともないので、見栄えを悪くすることも少ない。
【図面の簡単な説明】
【０００９】
【図１】本発明の支持具の実施例の断面図である。
【図２】本発明の支持具の延長支柱の実施例の断面図である。
【図３】本発明の支持具の使用時の断面図である。
【図４】本発明の支持具の使用時の斜視図である。
【発明を実施するための形態】
【００１０】
以下、本発明の実施の形態を図１〜図４に基づいて説明する。
【００１１】
支持具１には、転倒を防止するに十分な起立手段４を設ける。形状はこれに限定するものではない。
【００１２】
支柱２及び延長支柱５には、容器を支持するに十分な容器支持部材３を設ける。容器６及び容器支持部材３の強度が十分あれば容器６の底面の中心に近い部分の狭い範囲で支持することも可能であり、容器支持部材３も小さくすることができる。また、容器６の形状により、容器支持部材３も小さくすることができる。
【符号の説明】
【００１３】
１    本発明の容器支持具
２    支柱
３    容器支持部材
４    起立手段
５    延長支柱
６    容器
【図１】
2015181462.tif 000003
【図２】
2015181462.tif 000004
【図３】
2015181462.tif 000005
【図４】
2015181462.tif 000006
(57)【要約】【課題】              電車のシート等に腰かけた時に傘をシート等に立てかけると石突きが横滑りをして、傘が転倒してしまう。特に濡れた床面や平滑な床面の場合顕著に転倒してしまう。壁等に固定する方法もあるが出来るだけ嵩張らず、傘全体の外観を損なわせず、効果的に傘を固定できる物が望まれる。また濡れた床や、平滑な床でも効果的に固定が出来る滑り止めが必要。【解決手段】  上記の問題を解決する為の本考案は傘又は杖等の石突きに装着し、平滑である接地面を持つ本体は親水性樹脂の連続気泡による発泡体からなり、水の存在下で発泡体が水を吸い込む作用により前記接地面と床との間に水平方向の摩擦力を発生させ、石突きの横滑りを防止する滑り止めシート。【選択図】図２
2015181732.tif 000002
【特許請求の範囲】
【請求項１】
傘又は杖等の石突に装着し、本体は親水性樹脂の連続気泡による発泡体を有し、水を吸収した発泡体平面が床平面との間に発生する摩擦力を利用した滑り止めシート。
【請求項２】
親水性樹脂がポリウレタン、ポリエチレン、ポリビニルアルコール、ポリエステル、エチレンプロピレンジエンゴム、セルロース、ニトリルゴムである請求項１記載の滑り止めシート。
【請求項３】
発泡体の一端側に粘着層を有する請求項１、２記載の滑り止めシート。
【請求項４】
接地面の直径が２ミリメートルから２０ミリメートル、かつ高さが０．５ミリメートルから２０ミリメートルである請求項１、２、３記載の滑り止めシート。
【発明の詳細な説明】
【技術分野】
【０００１】
本発明は、連続気泡発泡体の横滑り防止シート。
【背景技術】
【０００２】
一般的に傘の転倒を防止するには持ち手部分に固定具を取り付けるものが多いが（例えば、実登３０５９６２２）、非使用時には邪魔であり、また嵩張る為見た目も悪い。
【０００３】
また持ち手の先端に取り付けるものでは（例えば、特開２００９−１６５８３７）台状の平面がある場合には有効だが、電車のシートや映画館のシートといった場所では取っ手部分を載せる場所がなく傘を固定できない。      
【０００４】
また、傘の石突部分に吸盤状の固定治具を取り付ける物では（例えば、特開２００１−０４６１３０）平滑な床面であれば効果的だが、凹凸のある床面では固定できない。また床から吸盤を取り外す時に吸盤の吸着力以上の力が必要であり場合によっては吸盤部分が外れてしまう恐れもある。
【０００５】
また、石突部分に摩擦抵抗性を有する形状物を取り付ける方法では（例えば、特開２００３−１３５１１６号）、傘の重さを支えるための摩擦抵抗力を得るためにはある程度の面積が必要となる。またスポンジの表面では傘を固定するほどの摩擦抵抗性はない。
【特許文献１】実登３０５９６２２
【特許文献２】特開２００９−１６５８３７
【特許文献３】特開２００１−０４６１３０
【特許文献４】特開２００３−１３５１１６
【発明の開示】
【発明が解決しようとする課題】
【０００６】
電車のシート等に腰かけた時に傘をシートに立てかけると石突が横滑りをして、傘が転倒してしまう。特に濡れた床面や平滑な床面の場合顕著に転倒してしまう。壁等に固定する方法もあるが出来るだけ嵩張らず、傘全体の外観を損なわせず、効果的に傘を固定できる物が望まれる。また濡れた床や、平滑な床でも効果的に固定が出来る滑り止めが必要である。
【課題を解決するための手段】
【０００７】
上記の問題を解決する為の請求項1記載の考案は傘又は杖等の石突きに装着し、平滑である接地面を持つ本体は親水性樹脂の連続気泡による発泡体からなり、水の存在下で発泡体が水を吸い込む作用により前記接地面と床との間に水平方向の摩擦力を発生させ、石突きの横滑りを防止する滑り止めシート。
【０００８】
請求項２の考案は、親水性樹脂がポリウレタン、ポリエチレン、ポリビニルアルコール、ポリエステル、エチレンプロピレンジエンゴム、セルロース、ニトリルゴムである請求項１記載の滑り止めシート。
【０００９】
請求項３の考案は、発泡体の一端側に粘着層を有する請求項１、２記載の滑り止めシート。
【００１０】
請求項４の考案は、接地面の直径が２ミリメートルから２０ミリメートル、かつ高さが０．５ミリメートルから２０ミリメートルである請求項１、２、３記載の滑り止めシート。
【発明の効果】
【００１１】
本発明の滑り止めシートを用いることにより、発泡体が水を吸い込むことで発泡体と床面との間に水平方向の摩擦力が生じ、水で濡れた床面に傘を傾けて立てても石突き部分が横滑りすることがなくなる。石突き部分の面積程度で十分滑り止めの効力を発揮する為見た目にも違和感がない。発泡体が水に濡れることにより滑り止めの効力が増加する為、雨水で滑りやすくなるなっている床で特に有効である。
【発明を実施するための最良の形態】
【００１２】
上記目的を達成する為、本体は水を吸い込みやすいように親水性ポリマー若しくは親水性に表面改質したポリマーで出来ている。望ましくはポリウレタン、ポリエチレン、ポリビニルアルコール、ポリエステル、エチレンプロピレンジエンゴム、セルロース、ニトリルゴムであり、より望ましいのは安価で入手しやすいポリウレタンである。
【００１３】
発泡体はより水を吸い込みやすいように気泡が連続的につながっている連続気泡発泡体が望ましい。ポリウレタン発泡体の場合発泡倍率は１０から６０倍が望ましい。
【００１４】
発泡体と石突は粘着層で結合させることにより既存の傘に取り付け可能となる。また、摩耗等で滑り止め効果がなくなったら新たな滑り止めシートを貼り付け交換が可能である。
【００１５】
発泡体の接地面面積を大きくとると固定力は増すが見た目が悪くなるため、接地面の直径が２ミリメートルから２０ミリメートルの範囲がよい。より望ましくは石突の先端面積と同じ大きさにするのがよい。発泡体の高さは低くても滑り止め効果を発揮するが、あまり低すぎると吸水能力が劣り滑り止め効果を損なうため、好ましい高さは０．５ミリメートルから２０ミリメートルの範囲である。
【００１６】
本発明の実施形態について図により説明する。図１に、本発明に係る滑り止めシートの全体図を示す。本体１一端側は粘着層４により石突に取り付ける取り付け面３である。他端側は床面と接する接地面２となる。
【００１７】
図２は本体１を傘の石突き５に取り付けた正面図である。
【図面の簡単な説明】
【００１８】
【図１】滑り止めシートの斜視図（図１）
【図２】滑り止めシート使用例の正面図（図２）
【符号の説明】
【００１９】
１  本体
２  接地面
３  取り付け面
４  粘着層
５  石突き
６  傘
【図１】
2015181732.tif 000003
【図２】
2015181732.tif 000004
(57)【要約】【課題】  子供用施設で用いられる洋式便器の便座カバーにおいて、前記カバーを飛びこえ、また便座と便器本体との隙間から洩れて飛び散る小便を防護する。【解決手段】  便座１に着脱自在に装着される防水性の便座カバー２の前方表面に第１の防護壁３を一体的に突設する。便座カバー２の排便孔４の前方を含む周辺に沿って第２の防護壁５を下向きに一体形成する。【選択図】  図３
2015181707.tif 000002
【特許請求の範囲】
【請求項１】
便座に着脱自在に装着される防水性の便座カバーの前方表面に小便の飛散を防止するための第１の防護壁を一体的に突設し、しかも前記便座カバーの排便孔の前方を含む周辺に沿って小便が漏れて飛散するのを防止するための第２の防護壁を下向きに一体形成することを特徴とする子供用施設における便座カバー。
【請求項２】
第２の防護壁が便座の前方に一体的に形成された下向防護壁より高さ方向において長い距離を有することを特徴とする請求項１の子供用施設における便座カバー。
【請求項３】
第２の防護壁が前方略半周であることを特徴とする請求項１の子供用施設における便座カバー。
【発明の詳細な説明】
【技術分野】
【０００１】
本発明は幼稚園、保育所等の子供用施設で用いられる洋式便器の便座カバーに関する。
【背景技術】
【０００２】
従来より下記の特許文献１で示すように幼児用洋式便器用便座に着脱自在に装着される可撓性の便座カバーが知られている。
【０００３】
また便座カバーではなく、便座１自体の表面に小便の飛散を防止するための上向防護壁を一体的に突設するとともに便座１自体の排便孔１４の前方を含む周囲に図３・４の符号６で示す小便の飛散を防止するための防護壁を下向に一体形成したものが使用されている。後者における便座１の裏面には本例では４ヶ所の下向きに突設された凸起１２、１２・・が使用時において図３の仮想線で示す便器本体８の周囲表面に接触するため、図３で示す空間Ｈが生じ、前記防護壁６でこの空間Ｈから小便が漏れて飛散するのを防止しようとするためのものである。
【先行技術文献】
【特許文献】
【０００４】
【特許文献１】登録実用新案第３１４３８６４号公報
【非特許文献】
【０００５】
【非特許文献１】なし
【発明の概要】
【発明が解決しようとする課題】
【０００６】
従来前例では使用時において便座カバーおよび前記空間Ｈより小便が外部に飛散する。
【０００７】
従来後例では従来前例の欠点を解消できるものの便座自体に上向防護壁および下向防護壁６を一体的に形成してあり、便座１自体の着脱が極めて困難なため、結局、部分的に人手により長時間をかけて清掃しなければならない。
【０００８】
本発明は前記不都合を一挙に解消するものである。
【課題を解決するための手段】
【０００９】
本発明の第１の手段は、便座に着脱自在に装着される防水性の便座カバーの前方表面に小便の飛散を防止するための第１の防護壁を一体的に突設し、しかも前記便座カバーの排便孔の前方を含む周辺に沿って小便が漏れて飛散するのを防止するための第２の防護壁を下向きに一体形成することを特徴とするものである。
【００１０】
本発明の第２の手段は、第２の防護壁が便座の前方に一体的に形成された下向防護壁より高さ方向において長い距離を有することを特徴とするものである。
【００１１】
本発明の第３の手段は、第２の防護壁が前方略半周であることを特徴とするものである。
【発明の効果】
【００１２】
本発明によれば、便座カバーの前方における上方および便器本体との空間より飛散する小便を防護でき、便器の外周辺を汚すおそれがない。
【００１３】
また本発明によれば、前方に下向防護壁を有する便座および前記下向防護壁を有さない通常の便座のいずれにも前記空間Ｈ前方から小便が漏れて飛散するのを防止できる。しかも前記便座自体の下向防護壁を汚すことがない。
【００１４】
さらに本発明によれば、前方のみならず、小便が漏れて飛散し得る略半周空間Ｈを完全に防護できる。しかも第２の防護壁を排便孔の全周に巡らすのではなく、安価に製造できる。
【図面の簡単な説明】
【００１５】
【図１】本発明カバーの斜視図。
【図２】同上の一部を切欠いた正面図。
【図３】同上の使用状態を示すＡ-Ａ拡大断面図。
【図４】本発明カバーの一部を切欠いた拡大底面図。
【発明を実施するための形態】
【００１６】
本発明の便座カバー２の材質は可撓性を有する高分子化合物、例えばエチレン・酢酸ビニル共重合体（ＥＶＡ）、ゴム類、ポリエチレン、ポリ塩化ビニル、ポリプロピレン、ポリスチレン、ＡＢＣ樹脂等及びこれらの混合物であり、発泡剤を入れ、発泡性を有し、便座１に装着できるものである。
【００１７】
便座カバー２の前方表面に図１〜３で示すように略山型の第１の防護壁３を一体的に突設する。具体的には山の裾幅が５０ｍｍ〜６０ｍｍ、高さが１０〜８０ｍｍであり、前記寸法は、子供が前記上方から小便を飛散するのを防止するために好都合な距離である。
【００１８】
また便座カバー２の排便孔４の前方周辺に沿って前記空間Ｈからの小便の飛散漏れを防止するための第２の防護壁５を下向きに一体形成する。この第２の防護壁５は図３・４で示すように前方を含む略半周であることが漏れ防止として最適である。
【００１９】
なお図２〜４中、符号７、７、７は便座１を係止するためのフックであり、便座カバー２を撓ませることにより便座１に容易に着脱自在に装着することができる。
【００２０】
なおこの種の便座１には通常、下向きの防護壁６を有さないものと有するものとが存在するが、後者（下向きの防護壁６を有するもの）を図示により説明する。
【００２１】
便座１は硬質プラスチックにより形成され、排便孔１４の前方を含む半周に図３、４で示す下向防護壁６が一体的に形成され、また便座１の裏面に４個の凸起７・７・・を下向きに突設する。
【００２２】
本発明の第２の防護壁５は図３で示すように前記下向防護壁６より高さ方向において長い距離ｌを有するものであり、具体的には５ｍｍである。
【００２３】
次に本発明の使用法を説明すれば、フック７、７、７を撓ませて図２〜４で示すように便座１に係止して装着する。
【００２４】
さらに排便時には便座１を洋式用の便器本体８上に載せる。このとき図３で示すように凸起１２・・が便器本体８の周囲面上に接触し、便器本体８と便座１との間に空間Ｈが生じるが、第２の防護壁５により前方を含む略半周の空間Ｈが塞がれる。この結果、前記空間Ｈから小便が漏れて飛散するのを防止できる。
【００２５】
なお、前記のような下向防護壁６より第２の防護壁５の高さ方向の距離をｌ分、長く形成しているので下向防護壁６を汚すおそれがなく、また下向防護壁６がない便座１にも第２の防護壁５で小便漏れによる飛散を防止することができる。
【００２６】
幼児の小便が前方を超えて飛散しようとしても第１の防護壁３がこれを防ぐ。
【００２７】
なお第１・第２の防護壁３、５をはじめ便座カバー２が汚れた場合は各フック７を撓ませて外し、全体を洗滌すればよい。
【符号の説明】
【００２８】
１  便座
２  便座カバー
３  第１の防護壁
４  排便孔
５  第２の防護壁
６  下向防護壁
【図１】
2015181707.tif 000003
【図２】
2015181707.tif 000004
【図３】
2015181707.tif 000005
【図４】
2015181707.tif 000006